(57)【特許請求の範囲】
【請求項１】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーと、内筒を軸線方向に貫通する支軸に揺動可能に軸支されるタンブラー群とを有し、上記仕切板の間の各スロットにタンブラーを収納すると共に、タンブラーの自由端部外側端縁に解錠切欠を形成し、一方、各タンブラーに、鍵孔に挿入された合鍵のブレードと干渉する係合突起を一体に突設し、各タンブラーをこの係合突起が合鍵に近接する方向に付勢すると共に、常態では内筒を軸線方向に貫通するバックアップピンに係止し、他方、合鍵を内筒の鍵孔に挿入したとき、各タンブラーの解錠切欠がロッキングバーの内側縁と整合するようにしたシリンダ錠において、ロッキングバーを内筒外方に付勢するロッキングバーばねを収納する仕切板の上端縁に、合鍵のブレードより大きい幅で鍵孔に致る案内スリットを形成し、この案内スリット中に、タンブラーの支軸との干渉を避けるための逃げ溝を形成すると共に、この逃げ溝の下端部をらっぱ形に拡開して一対の円弧状の摺接端縁を形成した板状のシャッターを上下方向に移動可能に収納し、鍵孔に合鍵が挿入されない常態において、上記摺接端縁の上下方向の位置を、施解錠操作時鍵孔に挿入された合鍵の先端が進入できるように設定したことを特徴とするシリンダ錠のシャッター機構。
【発明の詳細な説明】
【０００１】
【発明の属する技術分野】
この発明は、シリンダ錠、最適の適用例としては本出願人が先に提案したロータリーディスクタンブラー錠、の内筒に設けるシャッター機構に係り、特に、ピッキングを著しく困難にするシャッター機構に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたことを特徴とするものである。
【０００４】
上記したロータリーディスクタンブラー錠の構成を更に要約すると、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００５】
【発明が解決しようとする課題】
この発明は、上記した構成の新規なロータリーディスクタンブラー錠を改良しようとするものではなく、これに新規なシャッター機構を付加することでピッキングをより困難にし、錠前としてのロータリーディスクタンブラー錠の安全性を更に向上させることを目的としている。
【０００６】
【課題を解決するための手段】
上記の目的を達成するため、この発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーと、内筒を軸線方向に貫通する支軸に揺動可能に軸支されるタンブラー群とを有し、上記仕切板の間の各スロットにタンブラーを収納すると共に、タンブラーの自由端部外側端縁に解錠切欠を形成し、一方、各タンブラーに、鍵孔に挿入された合鍵のブレードと干渉する係合突起を一体に突設し、各タンブラーをこの係合突起が合鍵に近接する方向に付勢すると共に、常態では内筒を軸線方向に貫通するバックアップピンに係止し、他方、合鍵を内筒の鍵孔に挿入したとき、各タンブラーの解錠切欠がロッキングバーの内側縁と整合するようにしたシリンダ錠において、ロッキングバーを内筒外方に付勢するロッキングバーばねを収納する仕切板の上端縁に、合鍵のブレードより大きい幅で鍵孔に致る案内スリットを形成し、この案内スリット中に、タンブラーの支軸との干渉を避けるための逃げ溝を形成すると共に、この逃げ溝の下端部をらっぱ形に拡開して一対の円弧状の摺接端縁を形成した板状のシャッターを上下方向に移動可能に収納し、鍵孔に合鍵が挿入されない常態において、上記摺接端縁の上下方向の位置を、施解錠操作時鍵孔に挿入された合鍵の先端が進入できるように設定したことを特徴とする。
【０００７】
【実施例】
以下、この発明の実施例を図２乃至図８を参照して説明する。
図２に示すように、ロータリーディスクタンブラー錠やレバータンブラー錠では、ロッキングバー１１の前後２ヵ所をロッキングバーばね１２により下方、すなわち外方に付勢している。
【０００８】
奥の方（図２で左方）のロッキングバーばね１２は、テールプラグ１３を半径方向に貫通してバックアップピン８に致る付番しないばね孔に収納される。
【０００９】
一方、外方のロッキングバーばね１２は、他のものより少し厚く通常仕切板Ｂと称せられる仕切板１４を下方から半径方向に貫通してバックアップピン８に致るばね収納孔１５（図３参照）に収納される。
【００１０】
この発明は、耐ピッキング性能を向上させるため、この仕切板１４にシャッターを組込み、鍵孔に合鍵を挿入しない常態においてはこのシャッターを重力により下方に降下させて鍵孔を閉塞するように構成されている。
【００１１】
そのため、図２及び図３に示すように、仕切板１４の上端縁に、鍵孔より大きい幅で鍵孔５に致る案内スリット１６を形成し、この案内スリット１６中に、図５に示すような形状の板状のシャッター１７を上下方向に移動可能に案内、収納する。
【００１２】
このシャッター１７は、図５の左右方向における中央部に、タンブラーの支軸３との干渉を避けるための逃げ溝１８を形成すると共に、この逃げ溝１８の下端部をらっぱ形に拡開して一対の円弧状の摺接端縁１９、１９を形成している。
【００１３】
なお、このシャッター１７はプレスによる抜き放しではなく、プレス加工後摺接端縁１９のハッチングを施した部分を、プレスにより断面円弧状に成形することが望ましい。
【００１４】
また、鍵孔に合鍵が挿入されない常態における上記摺接端縁１９の上下方向の位置は、図８に示すように、合鍵６（図６及び図７参照）のブレードの先端（右端）が摺接端縁の下方に進入できるように設定されている。
【００１５】
上記摺接端縁１９の位置は、シャッター１７の下端が案内スリット１６の下端に当接することによって設定されるようにしてもよいし、或いは、逃げ溝１８（図５参照）の上端が支軸３と係合したときその位置が設定されるようにしてもよい。
【００１６】
上記のように構成されたこの発明の一実施例によるシャッター機構は、常態では、図８に示すように、シャッター１７の一部は鍵孔５から覗くが、大部分はシャッターより手前のロータリーディスクタンブラー２、２の後に隠れる。
【００１７】
なお、ロータリーディスクタンブラー２が鍵孔５の左右に見える理由は、内筒の軸線方向において相互に隣接するロータリーディスクタンブラー２、２は、図１に示す係合突起７が右左に位置を違えるように形成されると共に、ロータリーディスクタンブラーの付勢方向も交互に反対方向になるように設計されるからである。
【００１８】
通常の施解錠操作では合鍵６が鍵孔に挿入されるから、その先端がシャッター１７より手前のロータリーディスクタンブラーの係合突起７、７を押上げつつ鍵孔内に挿入され、シャッター１７に致ると、合鍵の先端が摺接端縁１９、１９の下側に潜り込み、これらと合鍵先端の面取り部との間に生じる楔作用によりシャッター１７全体を上方に押上げる。
【００１９】
そして、施解錠操作後合鍵を鍵孔から抜くとき、シャッター１７は重力により下方に落ち、図８に示す元の位置に戻る。
【００２０】
したがって、シャッター１７の存在は通常の施解錠操作では何等障害にならないが、ピッキングの場合にはシャッター１７がその操作の邪魔になる。
【００２１】
すなわち、ピッキングは、鍵孔５内に細い工具を差し入れ、目的のロータリーディスクタンブラーの係合突起７をこの工具で押上げると共に内筒にトルクを掛け、ロッキングバー１１と解錠切欠４の整合を微妙な手ごたえをもとに検知し、そのロータリーディスクタンブラーの角度位置を摩擦係合を介してロッキングバー１１に係止する。
【００２２】
そして、この操作を全タンブラーについて奥の方から行うのであるが、一番奥のタンブラーを操作するとき、勿論工具によってシャッター１７を押上げて、工具をそれより奥に挿入する。
【００２３】
このとき、シャッター１７を押上げる操作が以外に面倒で、支軸３に軸支され、円滑に回動するように支承されたタンブラーを動かすような訳には行かない。
【００２４】
苦労してやって一番奥のタンブラーを解錠角度位置に係止したとしても、次のタンブラーは一番奥のものとは鍵孔内で左右反対に位置している上、鍵孔の横断面形状は中央部が複雑、かつ細くなっているので（図８参照）、工具を端に右から左に動かす、という訳には行かない。
【００２５】
次のタンブラーをピッキングするときには、折角苦労してシャッター１７を押上げて挿入した工具を、例えば鍵孔の左側の開口から一旦抜いて右側の開口に差し替えなければならず、このときシャッターをもう一度押上げなくてはならない。
【００２６】
以下同様にして、ピッキングの際タンブラーの操作毎にシャッターを押上げなければならず、気が急いている不正解錠者はついには諦めて仕舞い、このようにしてこの発明によるシャッター機構はピッキングを著しく困難にする。
【００２７】
なお、上記のシャッター機構は、図示のロータリーディスクタンブラー錠に限らず、従来のレバータンブラー錠にも適用可能である。
【００２８】
【発明の効果】
以上の説明から明らかなように、この発明は、内筒の比較的外端に近い仕切板１４にシャッターを組込み、ピッキング時、タンブラーのピッキング毎に面倒なシャッターの押上げ操作を強いるから、ピッキングを著しく困難にする、という所期の効果を奏する。
【図面の簡単な説明】
【図１】ロータリーディスクタンブラー錠の構成を説明するための横断面図。
【図２】ロータリーディスクタンブラー錠の構成を説明するための縦断面図。
【図３】この発明によるシャッター機構の正面図。
【図４】その平面図。
【図５】シャッターの正面図。
【図６】合鍵の平面図。
【図７】合鍵の側面図。
【図８】この発明によるシャッター機構を備えたロータリーディスクタンブラー錠の正面図。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  ロッキングバーばね
１４  仕切板
１６  案内スリット
１７  シャッター
１８  逃げ溝
１９  摺接端縁
【図１】
0004084031.tif 000002
【図２】
0004084031.tif 000003
【図３】
0004084031.tif 000004
【図４】
0004084031.tif 000005
【図５】
0004084031.tif 000006
【図６】
0004084031.tif 000007
【図７】
0004084031.tif 000008
【図８】
0004084031.tif 000009